(57)【要約】【課題】深さを浅くすることができ、部品点数が少なく、高い性能を有するスピーカを提供する。【解決手段】スピーカ１は、細長型のものであり、フレーム１０と、振動板２１と、それぞれ磁気回路３０やボイスコイル４２などを含む２つの駆動部５，６を有する。駆動部５，６のボイスコイルボビン４１は、互いに隣り合うようにして、振動板２１に取り付けられている。振動板２１のうち２つのボイスコイルボビン４１間には、配線材６５が接続されている。各ボイスコイル４２の導線４２ａ，４２ｂと導線４２ｃ，４２ｄとは、振動板２１の前面側に引き出されている。各駆動部５，６のボイスコイルについて、一方の導線４２ｂ，４２ｃは配線材６５に接続されており、他方の導線４２ａ，４２ｃは導線４２ｂ，４２ｃとは異なる方向に配線されている。これにより、２つのボイスコイル４２は、互いに直列に接続されている。【選択図】図２
2013051499.tif 000002
【特許請求の範囲】
【請求項１】
それぞれボイスコイルを有する複数のボイスコイルボビンと、
前記複数のボイスコイルボビンのそれぞれが取り付けられている振動板と、
前記振動板に固定された配線材とを備え、
前記複数のボイスコイルボビンのそれぞれは、他のボイスコイルボビンに隣り合うようにして配置されており、
前記配線材は、前記振動板のうち、前記互いに隣り合うボイスコイルボビン間の部位に固定されており、
前記複数のボイスコイルボビンのそれぞれのボイスコイルの正負の導線のうち一方の導線は、そのボイスコイルボビンとそれに隣り合うボイスコイルボビンとの間に配置されている前記配線材に接続され、前記隣り合うボイスコイルボビンに向けて配線されており、
他方の導線は、前記一方の導線の配線方向とは異なる方向に配線されており、
前記複数のボイスコイルは、互いに直列に接続されている、スピーカ。
【請求項２】
前記互いに直列に接続された複数のボイスコイルの両端部となる導線にそれぞれ接続された錦糸線をさらに備え、
前記錦糸線は、それぞれ、前記振動板の背面側に配置されており、その一端部が前記振動板の前面側に引き出され、他端部が前記スピーカの固定部に配置された端子に接続され、前記一端部と他端部との間の部位が湾曲自在である、請求項１に記載のスピーカ。
【請求項３】
前記配線材は、その両端部がそれぞれ前記振動板の背面側から前面側に引き出されるように配置されており、
前記ボイスコイルの導線は、前記配線材のうち前記振動板の前面側に引き出された部分に接続されている、請求項１又は２に記載のスピーカ。
【請求項４】
前記配線材は、その両端部がそれぞれ前記振動板の前面側から背面側に引き出されるように配置されており、
前記ボイスコイルの導線は、前記配線材のうち前記振動板の前面側にある部分に接続されている、請求項１又は２に記載のスピーカ。
【発明の詳細な説明】
【技術分野】
【０００１】
この発明は、スピーカに関し、特に、ボイスコイルを含む駆動部を複数有するスピーカに関する。
【背景技術】
【０００２】
スピーカは、家庭用音響機器や車載用音響機器だけでなく、パーソナルコンピュータ、携帯電話、ゲーム機など、様々な電子機器に広く使用されている。電子機器は軽薄短小化が進んでおり、スピーカに対しても、より小型化されたもの、特に細長型で薄型なものが求められている。
【０００３】
細長型で薄型のスピーカでは、大きな磁気回路を搭載することが難しくなるため、複数の小さな磁気回路に分けて一つの振動板を駆動させることが一般的となっている。
【０００４】
このような複数の磁気回路を持つスピーカでは、錦糸線を使わずに、並列接続できるようにしたものがある。しかしながら、錦糸線を用いない場合であっても、スピーカの配線用に特別な部品を用いることが必要になる。
【０００５】
このような問題点に関して、下記特許文献１には、振動板の中央に端子を設けて、ボイスコイルボビンに装着された錦糸線を端子に導くようにしたスピーカの構造が開示されている。このスピーカにおいて、２つのボイスコイルの中間に設置された端子板によって、その２つのボイスコイル同士が繋がれている。すなわち、１つの入力用端子に対して、２つのボイスコイルが接続されている。
【先行技術文献】
【特許文献】
【０００６】
【特許文献１】特許３６５２７８２号公報
【発明の概要】
【発明が解決しようとする課題】
【０００７】
ところで、特許文献１に記載されているスピーカの構造は、ダンパーと振動板との間から錦糸線が引き出されるものであり、深さが浅いスピーカに用いることはできないという問題があった。また、隣り合うボイスコイルの引き出し線の向き（巻回方向）が同じ方向である場合には、一方のボイスコイルに接続された錦糸線が１８０度折れ曲がった状態で取り付けられるので、錦糸線やボイスコイルに無理がかかる場合がある。他方、隣り合うボイスコイルの引き出し線を向かい合わせに設置した場合（ボイスコイルの向きが互いに逆になる場合）には、磁気回路を逆相に着磁しなければならず、スピーカの構成が複雑でわずらわしいものになるという問題がある。
【０００８】
この発明はそのような問題点を解決するためになされたものであり、深さを浅くすることができ、部品点数が少なく、高い性能を有するスピーカを提供することを目的としている。
【課題を解決するための手段】
【０００９】
上記目的を達成するためこの発明のある局面に従うと、スピーカは、それぞれボイスコイルを有する複数のボイスコイルボビンと、複数のボイスコイルボビンのそれぞれが取り付けられている振動板と、振動板に固定された配線材とを備え、複数のボイスコイルボビンのそれぞれは、他のボイスコイルボビンに隣り合うようにして配置されており、配線材は、振動板のうち、互いに隣り合うボイスコイルボビン間の部位に固定されており、複数のボイスコイルボビンのそれぞれのボイスコイルの正負の導線のうち一方の導線は、そのボイスコイルボビンとそれに隣り合うボイスコイルボビンとの間に配置されている配線材に接続され、隣り合うボイスコイルボビンに向けて配線されており、他方の導線は、一方の導線の配線方向とは異なる方向に配線されており、複数のボイスコイルは、互いに直列に接続されている。
【００１０】
好ましくはスピーカは、互いに直列に接続された複数のボイスコイルの両端部となる導線にそれぞれ接続された錦糸線をさらに備え、錦糸線は、それぞれ、振動板の背面側に配置されており、その一端部が振動板の前面側に引き出され、他端部がスピーカの固定部に配置された端子に接続され、一端部と他端部との間の部位が湾曲自在である。
【００１１】
好ましくは配線材は、その両端部がそれぞれ振動板の背面側から前面側に引き出されるように配置されており、ボイスコイルの導線は、配線材のうち振動板の前面側に引き出された部分に接続されている。
【００１２】
好ましくは配線材は、その両端部がそれぞれ振動板の前面側から背面側に引き出されるように配置されており、ボイスコイルの導線は、配線材のうち振動板の前面側にある部分に接続されている。
【発明の効果】
【００１３】
これらの発明に従うと、各ボイスコイルの導線の一方が配線材に接続されることで、隣り合うボイスコイルボビンに向けて配線されている。したがって、深さを浅くすることができ、部品点数が少なく、高い性能を有するスピーカを提供することができる。
【図面の簡単な説明】
【００１４】
【図１】本発明の実施の形態の１つにおけるスピーカの正面図である。
【図２】スピーカの側断面図である。
【図３】図１のＡ−Ａ線断面図である。
【図４】振動板ユニットを示す正面図である。
【図５】振動板ユニットの側面図である。
【図６】振動板ユニットの背面図である。
【図７】フレームに駆動部が取り付けられている状態を示す正面図である。
【図８】フレームに振動板ユニットを組み付けた状態を示す正面図である。
【発明を実施するための形態】
【００１５】
以下、本発明の実施の形態の１つにおけるスピーカについて説明する。
【００１６】
［実施の形態］
【００１７】
図１は、本発明の実施の形態の１つにおけるスピーカ１の正面図である。
【００１８】
図１に示されるように、スピーカ１は、正面（以下、前面ということがある。）から見て細長型の外形を有している。
【００１９】
図２は、スピーカ１の側断面図である。図３は、図１のＡ−Ａ線断面図である。
【００２０】
以下、図１〜３を参照しながら、スピーカ１の構造について説明する。
【００２１】
図２に示されるように、スピーカ１は、２つの駆動部５，６を有する、細長型のものである。駆動部５，６は、それぞれ、スピーカ１の背面（図２において右側；以下、裏面ということがある。）側に取り付けられている。駆動部５，６は、後述するように、それぞれボイスコイル４２を含む。
【００２２】
スピーカ１は、大まかに、フレーム１０と、振動板ユニット２０と、２つの駆動部５，６とを有している。振動板ユニット２０は、振動板２１と、エッジ２５と、ガスケット２９とを有している。振動板ユニット２０には、キャップ２７，２８が取り付けられている。駆動部５は、磁気回路３０と、ボイスコイルボビン４１と、ボイスコイル４２と、ダンパー１００とを有している。駆動部６は、駆動部５と同一の構成を有している。
【００２３】
駆動部５，６は、それぞれ、フレーム１０の中央部を挟んで上下略対称となる位置に、互いに上下に並ぶように配置されている。換言すると、駆動部５，６は、それぞれのボイスコイルボビン４１が互いに隣り合うように、並んで配置されている。
【００２４】
磁気回路３０は、ボトムヨーク３１と、マグネット３２と、トッププレート３３とを有している。磁気回路３０は、フレーム１０に固定されている。磁気回路３０は、外磁型のものである。マグネット３２は、ボトムヨーク３１の底部とトッププレート３３との間に挟まれるようにして、ボトムヨーク３１の中央円筒部の周囲に配置されている。これにより、ボトムヨーク３１の中央円筒部と、トッププレート３３の内周部との隙間に磁気ギャップが構成されている。なお、磁気回路３０は内磁型のものであってもよい。
【００２５】
ボイスコイル４２は、ボイスコイルボビン４１の下部（図２において右側の部分）周面に、巻回されて取り付けられている。本実施の形態において、ボイスコイルボビン４１は、略円筒形状を有している。ボイスコイル４２は、ボイスコイルボビン４１と共に磁気回路３０の磁気ギャップに位置するようにして配置されている。ボイスコイルボビン４１は、ダンパー１００を介して、フレーム１０に支持されている。
【００２６】
振動板ユニット２０は、ガスケット２９に対してエッジ２５を介して振動板２１が取り付けられて構成されている。振動板ユニット２０は、ガスケット２９がフレーム１０に固定されることで、フレーム１０に取り付けられている。エッジ２５の内周部は、振動板２１の外周部に接着されている。図１に示されるように、本実施の形態において、エッジ２５の外周縁は、平面視で２つの半円弧と２つの互いに略平行な直線とを接続して形成される長円形状を有している。他方、フレーム１０は、略矩形形状を有している。ガスケット２９は、エッジ２５の外周縁とフレーム１０の取り付け面との間を覆うように形成されている。エッジ２５の外周縁は、ガスケット２９に接着されている。すなわち、振動板２１は、ガスケット２９にエッジ２５を介して保持されている。
【００２７】
図２に示されるように、振動板２１は、２つの駆動部５，６にそれぞれ対応する２つのコーン部２３，２４を有し、一体に形成されている。すなわち、振動板２１において、駆動部５に対応する部分と、駆動部６に対応する部分とが深くなっている（スピーカ１の正面から窪み、背面側に近づいている。）。また、振動板２１は、その深い部分から振動板２１の外周部に近づくに従って、浅くなるように、すなわちスピーカ１の正面（図２において左端の面）からの距離が小さくなるように形成されている。駆動部５，６の間の部分すなわちスピーカ１の中央部においても、振動板２１の深さは浅くなっている。
【００２８】
コーン部２３は、駆動部５のボイスコイルボビン４１の上部（図２においてボイスコイルボビン４１の左側の部分）に接続されている。また、コーン部２４は、駆動部６のボイスコイルボビン４１の上部に接続されている。これにより、両ボイスコイルボビン４１が前後（図２において左右方向）に変位して振動するのに伴い、振動板２１が振動する。キャップ２７，２８は、それぞれ、コーン部２３，２４の正面側に、それによりボイスコイルボビン４１が覆われるように、接着されている。
【００２９】
図３に示されるように、ダンパー１００は、内周部１１０と、外周部１２０と、コルゲーション部１３０とを有している。ダンパー１００は、長径部と短径部とを有する略長円形状を有している。ダンパー１００は、長径部がスピーカ１の長手方向すなわち上下方向（図３において紙面に垂直な方向）となるように配置されている。コルゲーション部１３０は、内周部１１０と外周部１２０とを接続している。コルゲーション部１３０には、複数の山部及び谷部が設けられている。内周部１１０は、ボイスコイルボビン４１の外周部に接着されている。外周部１２０は、フレーム１０に取り付けられている。これにより、振動板２１と、駆動部５，６のそれぞれのボイスコイルボビン４１やボイスコイル４２とで構成されるスピーカ１の振動系は、２つのダンパー１００と、エッジ２５とで支持されている。
【００３０】
図２に示されるように、振動板２１の中央部には、配線材６５が固定されている。本実施の形態において、駆動部５のボイスコイル４２と駆動部６のボイスコイル４２とは、配線材６５を介して、直列に接続されている。
【００３１】
配線材６５は、振動板２１の背面側に取り付けられている。配線材６５の駆動部５側の端部６５ａは、コーン部２３の下部（駆動部６側の部分）から、振動板２１を貫通し、振動板２１の前面側に引き出されている。また、配線材６５の駆動部６側の端部６５ｂは、コーン部２４の上部（駆動部５側の部分）から、振動板２１を貫通し、振動板２１の前面側に引き出されている。すなわち、配線材６５は、その両端部６５ａ，６５ｂがそれぞれ振動板２１の背面側から前面側に引き出されるようにして配置されている。
【００３２】
振動板２１の長径方向両端部（上下両端部）には、錦糸線６１，６２が配置されている。錦糸線６１は、振動板２１の上方に配置されている。錦糸線６１の一方の端部６１ａは、フレーム１０の背面に設けられた端子６３に接続されている。錦糸線６１の他方の端部６１ｂは、コーン部２３の上部から、振動板２１を貫通し、振動板２１の前面側に引き出されるようにして、振動板２１に固定されている。また、錦糸線６２は、振動板２１の下方に配置されている。錦糸線６２の一方の端部６２ａは、コーン部２４の下部から、振動板２１を貫通し、振動板２１の前面側に引き出されるようにして、振動板２１に固定されている。錦糸線６２の他方の端部６２ｂは、フレーム１０の背面に設けられた端子６４に接続されている。錦糸線６１，６２のそれぞれは、その両端部６１ａ，６１ｂ間、６２ａ，６２ｂ間で湾曲自在に、振動板２１のフレーム１０に対する変位を許容するようにして配置されている。
【００３３】
各ボイスコイル４２の正負の導線（引き出し線）は、正負方向が長径軸と平行な方向すなわち上下方向になるように、互いに同じ方向を向くようにして、共に振動板２１の前面側に引き出されている。図２に示されるように、駆動部５のボイスコイル４２の正負２つの導線４２ａ，４２ｂのうち、一方の導線４２ａは、ボイスコイルボビン４１から錦糸線６１に向けて、すなわち上方に向けて配線されている。他方の導線４２ｂは、ボイスコイルボビン４１から配線材６５に向けて、すなわち下方に向けて配線されている。また、駆動部６のボイスコイル４２の２つの導線４２ｃ，４２ｄのうち、一方の導線４２ｃは、ボイスコイルボビン４１から配線材６５に向けて、すなわち上方に向けて配線されている。他方の導線４２ｄは、ボイスコイルボビン４１から錦糸線６２に向けて、すなわち下方に向けて配線されている。換言すると、駆動部５のボイスコイル４２の正負２つの導線４２ａ，４２ｂは、ボイスコイル４２から見て正面視で互いに異なる方向に、それぞれ上下方向に配線されている。駆動部６のボイスコイル４２の正負２つの導線４２ｃ，４２ｄは、ボイスコイル４２から見て正面視で互いに異なる方向に、それぞれ上下方向に配線されている。
【００３４】
駆動部５のボイスコイル４２の導線４２ａは、振動板２１の前面側に引き出されている錦糸線６１の端部６１ｂに接続されている。また、導線４２ｂは、振動板２１の前面側に引き出されている配線材６５の端部６５ａに接続されている。駆動部６のボイスコイル４２の導線４２ｃは、振動板２１の前面側に引き出されている配線材６５の端部６５ｂに接続されている。また、導線４２ｄは、振動板２１の前面側に引き出されている錦糸線６２の端部６２ａに接続されている。
【００３５】
導線４２ａは、錦糸線６１との接続部分も含め、振動板２１の前面側に、接着剤４９などにより固定されている。同様に、導線４２ｂ，４２ｃ，４２ｄは、配線材６５との接続部分や錦糸線６２との接続部分も含め、振動板２１の前面側に、接着剤４９などにより固定されている。
【００３６】
ここで、本実施の形態において、駆動部５，６では、互いに、ボイスコイル４２は同一の方向に巻回されており、マグネット３２の極性は同方向である。すなわち、駆動部５，６のそれぞれの磁気回路３０は、互いに同相に着磁されている。駆動部５，６のそれぞれのボイスコイル４２のうち、配線材６５に接続されている２つの導線４２ｂ，４２ｃは、一方が正極側で、他方が負極側である。
【００３７】
このように、駆動部５，６の各ボイスコイル４２の一方の導線４２ｂ，４２ｃは、配線材６５に接続され、各ボイスコイル４２の他端の導線４２ａ，４２ｄは、錦糸線を介して２つの端子６３，６４に接続されている。これにより、それぞれのボイスコイル４２は、端子６３，６４間を両端として、互いに直列に接続されている。
【００３８】
なお、配線材６５としては、例えば、錦糸線６１，６２などと同一の素材の部材が用いられる。配線材６５は、振動板２１の形状になじむような柔軟性があり、導電性を有するものであればこれに限られない。例えば、銅箔や、導線や、フレキシブル基板などを配線材６５として用いてもよい。
【００３９】
次に、スピーカ１の組立て手順の一例について説明する。
【００４０】
図４は、振動板ユニット２０を示す正面図である。図５は、振動板ユニット２０の側面図である。図６は、振動板ユニット２０の背面図である。
【００４１】
スピーカ１は、先に、振動板ユニット２０部分が組み立てられて、その後、フレーム１０に振動板ユニット２０を組み付けることで組み立てられる。このとき、図６に示されるように、振動板ユニット２０には、錦糸線６１，６２と、配線材６５とが取り付けられている。配線材６５は、例えば接着剤６７により、振動板２１に固定されている。
【００４２】
図４に示されるように、振動板２１には、２つのボイスコイルボビン４１が取り付けられる孔部２１ａ，２１ｂが形成されている。正面から見て、振動板２１のうち孔部２１ａの上下には、それぞれ、錦糸線６１の端部６１ｂと、配線材の端部６５ａとが引き出されている。また、振動板２１のうち孔部２１ｂの上下には、それぞれ、配線材６５の端部６５ｂと、錦糸線６２の端部６２ａとが引き出されている。図５に示されるように、錦糸線６１，６２は、それぞれ一方の端部６１ｂ，６２ａが振動板２１の前面側に引き出された状態で（図５においては端部６１ｂ，６２ａは振動板２１に隠れている）、振動板２１に保持されている。
【００４３】
図７は、フレーム１０に駆動部５，６が取り付けられている状態を示す正面図である。
【００４４】
上述の振動板ユニット２０とは別に、フレーム１０には、駆動部５，６が取り付けられる。図７に示されるように、フレーム１０には、２つの磁気回路３０が取り付けられた上で、ダンパー１００とともにボイスコイルボビン４１が取り付けられる。駆動部５，６のそれぞれのボイスコイル４２の導線４２ａ，４２ｂと、導線４２ｃ，４２ｄは、ボイスコイルの正負方向が長径軸と平行で、互いに同じ方向を向くようにして配置され、そのボイスコイルボビン４１から上方に引き出されている。
【００４５】
また、フレーム１０には、端子６３，６４が取り付けられている。振動板ユニット２０の錦糸線６１，６２の端部６１ａ，６２ｂは、端子６３，６４に接続される。
【００４６】
図８は、フレーム１０に振動板ユニット２０を組み付けた状態を示す正面図である。
【００４７】
フレーム１０には、ガスケット２９が固定され、振動板２１に駆動部５，６のそれぞれのボイスコイルボビン４１が取り付けられる。これにより、フレーム１０に振動板ユニット２０が組み付けられる。このとき、ボイスコイル４２の導線４２ａ〜４２ｄは、振動板２１の前面側に引き出されている。
【００４８】
フレーム１０に振動板ユニット２０が組み付けられると、図８に示されるように、配線が行われる。すなわち、駆動部５のボイスコイル４２の導線４２ａ，４２ｂは、それぞれ、錦糸線６１の端部６１ｂ、配線材６５の端部６５ａに接続される。また、駆動部６のボイスコイル４２の導線４２ｃ，４２ｄは、それぞれ、配線材６５の端部６５ｂ、錦糸線６２の端部６２ａに接続される。
【００４９】
このように配線が行われた後、接着剤４９で導線４２ａ〜４２ｄが振動板２１に固定され、キャップ２７，２８が取り付けられることで、図１に示されるようなスピーカ１が完成する。
【００５０】
［実施の形態における効果］
【００５１】
以上のように構成されたスピーカ１では、ボイスコイル４２同士が振動板２１に取り付けられている配線材６５を介して接続されるため、ダンパー１００と振動板２１の間の空間を狭くすることができる。したがって、ダンパー１００を用いてスピーカの性能を維持しつつ、スピーカ１の深さを浅くすることができる。また、磁気回路３０の着磁方向は２つの駆動部５，６間で同一とされているため、スピーカ１の構成を簡素にすることができ、組立て工数を削減できる。
【００５２】
また、本実施の形態において、中継用の配線材６５は、振動板２１の略中央に固定されている。したがって、振動板２１の中央部が配線材６５及び接着剤６７により補強され、スピーカ１の耐久性が向上する。振動板２１の重量バランスが保たれ、スピーカ１がローリングに強くなる。
【００５３】
スピーカ１は、特に配線材６５に加えて他の部材を必要とすることなく、比較的容易に複数の駆動部５，６を直列接続できるように構成されている。したがって、スピーカ１の部品点数を少なく抑えることができるとともに、スピーカ１を高性能化することができる。
【００５４】
［その他］
【００５５】
上記の実施の形態において、配線材はその両端部を除き振動板の背面側に固定されているが、配線材の大部分が振動板の前面側に固定されていてもよい。例えば、配線材は、その両端部がそれぞれ振動板の前面側から背面側に引き出されるように配置されていてもよい。このようなとき、ボイスコイルの導線は、配線材のうち振動板の前面側にある部分に接続されていればよい。
【００５６】
駆動部の数すなわちボイスコイルの数は、２つに限られず、さらに多くてもよい。ボイスコイルが３つ以上の場合であっても、互いに隣り合うボイスコイル同士が、上述の実施の形態と同様に配線材を介して接続されるようにすればよい。ボイスコイルが３つ以上の場合において、複数のボイスコイルが正面視で直線状に並んでいてもよいし、Ｌ字状やＶ字状など、直線状に並んでいなくてもよい。磁気回路の着磁方向を統一し、かつ、部品点数を抑えつつ複数のボイスコイルを容易に接続することができる。
【００５７】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００５８】
１  スピーカ
５，６  駆動部
１０  フレーム
２１  振動板
４１  ボイスコイルボビン
４２  ボイスコイル
４２ａ，４２ｂ，４２ｃ，４２ｄ  導線
６１，６２  錦糸線
６１ａ，６１ｂ，６２ａ，６２ｂ  錦糸線の端部
６５  配線材
６５ａ，６５ｂ  配線材の端部
１００  ダンパー
【図１】
2013051499.tif 000003
【図２】
2013051499.tif 000004
【図３】
2013051499.tif 000005
【図５】
2013051499.tif 000006
【図７】
2013051499.tif 000007
【図４】
2013051499.tif 000008
【図６】
2013051499.tif 000009
【図８】
2013051499.tif 000010